(57)【要約】【課題】  出射面の一部が点光りすることを抑制でき、意匠性に優れる灯具を提供する。【解決手段】  テールランプ１は、発光素子２３と、発光素子２３から出射する光が入射する入射面３１及び当該入射面３１から入射した光を出射する出射面３３を有するレンズ３０と、を備える。レンズ３０は、入射面３１のうち入射した光が内部反射せずに出射面３３から出射する第１の入射領域３１Ａを有し、第１の入射領域３１Ａは、発光素子２３側と反対側の端が頂点３４となる錐状に凹む。【選択図】    図２
2019125532.tif 000002
【特許請求の範囲】
【請求項１】
発光素子と、
前記発光素子から出射する光が入射する入射面及び当該入射面から入射した光を出射する出射面を有するレンズと、
を備え、
前記レンズは、前記入射面のうち入射した光が内部反射せずに前記出射面から出射する第１の入射領域に、前記発光素子側と反対側の端が頂点となる錐状に凹む凹部を有する
ことを特徴とする灯具。
【請求項２】
前記頂点は、前記発光素子の光軸上に位置する
ことを特徴とする請求項１に記載の灯具。
【請求項３】
前記入射面のうち前記凹部は、前記頂点と外縁とを結ぶ直線を基準として、前記頂点と前記外縁との間が前記発光素子側に向かって凸状に湾曲する
ことを特徴とする請求項１または２に記載の灯具。
【請求項４】
前記発光素子と前記頂点とを通る直線と垂直な断面における前記凹部の形状が多角形とされる
ことを特徴とする請求項１から３のいずれか１項に記載の灯具。
【請求項５】
前記入射面は、入射した光が少なくとも１回内部反射して前記出射面から出射する第２の入射領域を更に有し、
前記第２の入射領域は、前記入射面を前記発光素子側から正面視した場合に前記第１の入射領域の周囲に位置し、前記発光素子と前記頂点とを通る直線と平行な方向において少なくとも一部が前記第１の入射領域よりも前記発光素子側に位置する
ことを特徴とする請求項１から４のいずれか１項に記載の灯具。
【請求項６】
前記第２の入射領域は、前記第１の入射領域側の縁と前記第１の入射領域側と反対側の縁とを結ぶ直線を基準として、前記第１の入射領域側の縁と前記第１の入射領域側と反対側の縁との間が前記発光素子側に向かって凸状に湾曲する
ことを特徴とする請求項５に記載の灯具。
【請求項７】
前記発光素子と前記頂点とを通る直線と垂直な断面における前記第２の入射領域の形状が多角形とされる
ことを特徴とする請求項５または６に記載の灯具。
【請求項８】
前記出射面のうち、前記発光素子と前記頂点とを通る直線との交点を含む領域が平面とされる
ことを特徴とする請求項１から７のいずれか１項に記載の灯具。
【請求項９】
前記出射面のうち、前記発光素子と前記頂点とを通る直線との交点を含む領域が前記発光素子側に向かって凹状または凸状に湾曲される
ことを特徴とする請求項１から７のいずれか１項に記載の灯具。
【発明の詳細な説明】
【技術分野】
【０００１】
本発明は、灯具に関し、特に意匠性に優れる灯具に関する。
【背景技術】
【０００２】
灯具は、用途によって意匠性の向上が要求される場合がある。例えば、車両の外側に配置される車両用灯具は、車両の外観の一部を構成するため、意匠性が重要視される傾向にある。また、このような車両用灯具は、車外の人に車両の存在を示したり車両の状態を表示したりし得る。
【０００３】
例えば、下記特許文献１には、このような車両の外側に配置される車両用灯具が記載されている。この車両用灯具は、灯具前後方向に延びる光軸上に配置されて前方へ向けて光を出射する発光素子と、この発光素子を前方側から覆うように配置される透光部材とを備える。この車両用灯具の透光部材は、光軸上に位置して入射した光が内部反射せずに前方へ出射する直射光制御部と、この直射光制御部の周囲に位置して入射した光を内部反射させて前方へ出射する反射光制御部とを有している。この灯具では、灯具前方から透光部材を観察したとき、直射光制御部とともに反射光制御部の複数箇所が光って見えるようにすることができ、点灯時における車両用灯具の見映えの向上を図ることができるとされている。
【先行技術文献】
【特許文献】
【０００４】
【特許文献１】特開２００５−２０３１１１号公報
【発明の概要】
【発明が解決しようとする課題】
【０００５】
上記特許文献１に記載の車両用灯具における発光素子として、例えば発光ダイオード（ＬＥＤ）やレーザダイオード（ＬＤ）等を用いることが考えられる。一般的に、このような発光素子から出射する光のうち、当該発光素子の光軸近傍の光は、この発光素子から出射する他の光よりも光の強度が高い傾向にある。上記特許文献１の車両用灯具では、上記のように、直射光制御部は、光軸上に位置して入射した光を内部反射せずに前方へ出射する。このため、光の強度が高い傾向にある発光素子の光軸近傍の光は、直射光制御部に入射するとともに、あまり拡散されずに直射光制御部から出射する場合がある。このため、上記特許文献１に記載の車両用灯具では、直射光制御部の出射面の一部が点光りして見える場合があり、見栄えを向上させる等の観点から出射面の一部が点光りすることを抑制したいという要請がある。
【０００６】
そこで、本発明は、出射面の一部が点光りすることを抑制でき、意匠性に優れる灯具を提供しようとすることを目的とする。
【課題を解決するための手段】
【０００７】
上記目的の達成のため、本発明の灯具は、発光素子と、前記発光素子から出射する光が入射する入射面及び当該入射面から入射した光を出射する出射面を有するレンズと、を備え、前記レンズは、前記入射面のうち入射した光が内部反射せずに前記出射面から出射する第１の入射領域に、前記発光素子側と反対側の端が頂点となる錐状に凹む凹部を有することを特徴とする。
【０００８】
この灯具では、上記のようにレンズは、入射面のうち入射した光が内部反射せずに出射面から出射する第１の入射領域に、発光素子側と反対側の端が頂点となる錐状に凹む凹部を有する。つまり、この凹部は、発光素子と頂点とを通る直線に対して傾く入射面によって錐状に形成されている。このため、発光素子から出射し、凹部のうち頂点及びその近傍の領域に入射する光は、この直線に対して傾く入射面で屈折し、この直線を基準として放射状に分散され得る。このため、例えば発光素子から出射する光のうち、強度の高い光を凹部における頂点及びその近傍に入射させることで当該強度の高い光を分散さることができる。従って、レンズの出射面の一部が点光りすることを抑制し、当該出射面をより均一に発光させることができ、意匠性に優れる灯具とし得る。
【０００９】
前記頂点は、前記発光素子の光軸上に位置することが好ましい。
【００１０】
上記のように、一般的に、発光ダイオードやレーザダイオード等の発光素子から出射する光のうち、当該発光素子の光軸近傍の光は、この発光素子から出射する他の光よりも光の強度が高い傾向にある。このため、頂点を発光素子の光軸上に位置させることで、発光素子から出射する光のうち、当該発光素子の光軸近傍の光を凹部における頂点及びその近傍に入射させることができ、強度の高い光を分散させることができる。従って、レンズの出射面の一部が点光りすることを抑制し、当該出射面をより均一に発光させることができ、意匠性に優れる灯具とし得る。
【００１１】
前記入射面のうち前記凹部は、前記頂点と外縁とを結ぶ直線を基準として、前記頂点と前記外縁との間が前記発光素子側に向かって凸状に湾曲することが好ましい。
【００１２】
このように構成することで、発光素子から出射して凹部に入射する光が凹部で屈折して発散することを抑制することができ、例えば凹部に入射する光の多くが概ね互いに平行にレンズ内を伝搬するようにし得る。このため、凹部がこのように湾曲しない場合と比べて、出射面から出射する光の制御が容易となり、レンズの光学設計が複雑になることを抑制できる。
【００１３】
前記発光素子と前記頂点とを通る直線と垂直な断面における前記凹部の形状が多角形とされても良い。
【００１４】
このように構成することで、凹部は角錐状の凹みとなり、凹部に入射する光は凹部を形成する複数の面のそれぞれで異なる方向へ屈折される。このため、出射面のうち、凹部に入射する光に起因して発光する領域を、例えば発光素子と頂点とを通る直線を中心として周方向に間隔をあけて点在させ得る。このため、灯具の見栄えの自由度を向上することができ、意匠性に優れる灯具とし得る。
【００１５】
前記入射面は、入射した光が少なくとも１回内部反射して前記出射面から出射する第２の入射領域を更に有し、前記第２の入射領域は、前記入射面を前記発光素子側から正面視した場合に前記第１の入射領域の周囲に位置し、前記発光素子と前記頂点とを通る直線と平行な方向において少なくとも一部が前記第１の入射領域よりも前記発光素子側に位置することが好ましい。
【００１６】
この灯具では、上記のように、第２の入射領域は、入射面を発光素子側から正面視した場合に第１の入射領域の周囲に位置し、発光素子と頂点とを通る直線と平行な方向において少なくとも一部が第１の入射領域よりも発光素子の側に位置する。このため、発光素子から出射する光のうち、当該発光素子の光軸から離れるように出射する光、つまり拡散する光を第２の入射領域からレンズに入射させ得る。このため、第２の入射領域を有さない場合と比べて、発光素子から出射する光を効率良くレンズから出射し得る。また、第２の入射領域は、入射した光を少なくとも１回内部反射して前記出射面から出射するため、第２の入射領域に入射する光をレンズから所望の方向へ出射し得る。このため、灯具の見栄えの自由度を向上することができ、意匠性に優れる灯具とし得る。
【００１７】
入射面が第２の入射領域を有する場合、前記第２の入射領域は、前記第１の入射領域側の縁と前記第１の入射領域側と反対側の縁とを結ぶ直線を基準として、前記第１の入射領域側の縁と前記第１の入射領域側と反対側の縁との間が前記発光素子側に向かって凸状に湾曲することが好ましい。
【００１８】
このように構成することで、発光素子から出射して第２の入射領域に入射する光が第２の入射領域で屈折して発散することを抑制することができ、例えば第２の入射領域に入射する光の多くが概ね互いに平行にレンズ内を伝搬するようにし得る。このため、第２の入射領域がこのように湾曲しない場合と比べて、出射面から出射する光の制御が容易となり、レンズの光学設計が複雑になることを抑制できる。
【００１９】
入射面が第２の入射領域を有する場合、前記発光素子と前記頂点とを通る直線と垂直な断面における前記第２の入射領域の形状が多角形とされても良い。
【００２０】
このように構成することで、第２の入射領域は環状に連なる複数の面から形成され、第２の入射領域に入射する光は第２の入射領域を形成する複数の面のそれぞれで異なる方向へ屈折される。このため、出射面のうち、第２の入射領域に入射する光に起因して発光する領域を、例えば発光素子と頂点とを通る直線を中心として周方向に間隔をあけて点在させたり、多角形の環状にしたりし得る。このため、灯具の見栄えの自由度を向上することができ、意匠性に優れる灯具とし得る。
【００２１】
前記出射面のうち、前記発光素子と前記頂点とを通る直線との交点を含む領域が平面とされても良い。
【００２２】
上記のように、凹部おける頂点及びその近傍に入射する光は、発光素子と頂点とを通る直線を基準として放射状に分散され得る。このため、発光素子から出射して凹部に入射する光が、出射面のうち、発光素子と頂点とを通る直線との交点近傍の領域から出射することを抑制でき、この領域が平面とされても当該領域の一部が点光りすることを抑制することができる。従って、出射面をより均一に発光させることができるとともに、灯具の見栄えの自由度を向上することができ、意匠性に優れる灯具とし得る。
【００２３】
或いは、前記出射面のうち、前記発光素子と前記頂点とを通る直線との交点を含む領域が前記発光素子側に向かって凹状または凸状に湾曲されることとしても良い。
【００２４】
出射面のうち、発光素子と頂点とを通る直線との交点を含む領域が平面とされる場合と同様にして、この領域が発光素子側に向かって凹状または凸状に湾曲されても当該領域の一部が点光りすることを抑制することができる。従って、出射面をより均一に発光させることができるとともに、灯具の見栄えの自由度を向上することができ、意匠性に優れる灯具とし得る。
【発明の効果】
【００２５】
以上のように本発明によれば、出射面の一部が点光りすることを抑制でき、意匠性に優れる灯具を提供し得る。
【図面の簡単な説明】
【００２６】
【図１】本発明の実施形態に係る灯具の一例を示す図である。
【図２】図１に示す灯具ユニットを拡大して示す概略図である。
【図３】図１に示す灯具ユニットを概略的に示す背面図である。
【図４】図１に示す灯具ユニットを概略的に示す正面図である。
【図５】灯具の点灯時における灯具ユニットの光の出射面の様子を概略的に示す図である。
【図６】本発明の第２実施形態に係る灯具の灯具ユニットを概略的に示す背面図である。
【図７】図６に示す灯具ユニットを概略的に示す正面図である。
【図８】入射面を概略的に示す断面図である。
【図９】灯具の点灯時における灯具ユニットの光の出射面の様子を概略的に示す図である。
【発明を実施するための形態】
【００２７】
以下、本発明に係る灯具を実施するための形態が添付図面とともに例示される。以下に例示する実施形態は、本発明の理解を容易にするためのものであり、本発明を限定して解釈するためのものではない。本発明は、その趣旨を逸脱することなく、以下の実施形態から変更、改良することができる。
【００２８】
（第１実施形態）
図１は、本実施形態に係る灯具の一例を示す図であり、灯具の水平方向の断面を概略的に示す図である。本実施形態では、灯具は車両のテールランプ１とされ、図１に示すように、筐体１０と、複数の灯具ユニット２０とを主な構成として備える。
【００２９】
本実施形態の筐体１０は、ランプハウジング１１と、フロントカバー１２と、を主な構成として備える。本実施形態のランプハウジング１１の前方は開口しており、当該開口を塞ぐように透光性を有するフロントカバー１２がランプハウジング１１に固定されている。ランプハウジング１１と、当該ランプハウジング１１の前方の開口を塞ぐフロントカバー１２とによって形成される空間は灯室Ｒであり、この灯室Ｒ内に複数の灯具ユニット２０が収容されている。テールランプ１が備える灯具ユニット２０の数は特に限定されるものではない。なお、図１では、５つの灯具ユニット２０を備える形態が例示されている。
【００３０】
図１に示すように、本実施形態の複数の灯具ユニット２０は、それぞれ光源２１と、レンズ３０と、を主な構成として備え、不図示の構成により筐体１０に固定されている。本実施形態では、複数の灯具ユニット２０は、互いに概ね同じ構成とされるため、以下では１つの灯具ユニット２０について説明する。
【００３１】
本実施形態の光源２１は、回路基板２２に実装された発光素子２３を有しおり、発光素子２３の光軸２３Ａは、回路基板２２と概ね垂直な方向に延びている。この発光素子２３には回路基板２２を介して電力が供給され、赤色の光を出射する。このような発光素子２３として、例えば発光ダイオードやレーザダイオード等の半導体発光素子が用いられる。
【００３２】
図２は図１に示す灯具ユニット２０を拡大して示す概略図であり、発光素子２３の光軸２３Ａを通る断面図である。図２に示すように、本実施形態のレンズ３０は、透光性を有し、光源２１の発光素子２３に対向して配置される。このレンズ３０は、発光素子２３側に入射面３１及び反射面３２を有し、発光素子２３側と反対側に出射面３３を有する。
【００３３】
入射面３１は、発光素子２３から出射する光がレンズ３０に入射する面とされ、第１の入射領域３１Ａと、第２の入射領域３１Ｂを有する。図３は図１に示す灯具ユニット２０を概略的に示す背面図である。なお、図３では、理解容易のため、回路基板２２の記載は省略され、発光素子２３は破線で示されている。図３に示すように、本実施形態の第１の入射領域３１Ａは、入射面３１を発光素子２３側から正面視した場合、発光素子２３の光軸２３Ａを中心とする概ね円形とされる。また、図２に示すように、第１の入射領域３１Ａは、発光素子２３側と反対側の端が頂点３４となる概ね円錐状に凹んでおり、この頂点３４は、発光素子２３の光軸２３Ａ上に位置している。この第１の入射領域３１Ａは、頂点３４と外縁３５とを結ぶ直線を基準として、頂点３４と外縁３５との間が発光素子２３側に向かって凸状に湾曲している。なお、第１の入射領域３１Ａは、このように湾曲していなくても良く、発光素子２３側と反対側に向かって凸状に湾曲していても良い。
【００３４】
ところで、第１の入射領域３１Ａは全体として錐状であれば良く、第１の入射領域３１Ａにおける頂点３４は、例えばレンズ３０の製造上生じてしまう程度の曲率半径で丸められた頂点を含む。
【００３５】
図２、図３に示すように、本実施形態の第２の入射領域３１Ｂは、第１の入射領域３１Ａの外縁３５の全周から、発光素子２３側に向かって発光素子２３の光軸２３Ａから離間するように延在している。つまり、この第２の入射領域３１Ｂは、図３に示すように、入射面３１を発光素子２３側から正面視した場合、第１の入射領域３１Ａの周囲に位置しており、発光素子２３の光軸２３Ａを中心とする概ね円環状とされる。また、図２に示すように、第２の入射領域３１Ｂは、発光素子２３と第１の入射領域３１Ａの頂点３４とを通る直線である発光素子２３の光軸２３Ａと平行な方向において、第１の入射領域３１Ａよりも発光素子２３側に位置している。また、第２の入射領域３１Ｂは、第１の入射領域３１Ａ側の縁である第１の入射領域３１Ａの外縁３５と第１の入射領域３１Ａ側と反対側の縁である第２の入射領域３１Ｂの外縁３６とを結ぶ直線を基準として、この外縁３５と外縁３６との間が発光素子２３側に向かって凸状に湾曲している。なお、第２の入射領域３１Ｂは、このように湾曲していなくても良く、発光素子２３側と反対側に向かって凸状に湾曲していても良い。
【００３６】
反射面３２は、第２の入射領域３１Ｂからレンズ３０に入射する発光素子２３からの光Ｌ２を発光素子２３側と反対側へ向けて伝搬するように内部反射させる面とされる。図２、図３に示すように、本実施形態の反射面３２は、第２の入射領域３１Ｂの外縁３６の全周から、発光素子２３側と反対側に向かって発光素子２３の光軸２３Ａから離間するように延在している。また、この反射面３２は、図３に示すように、入射面３１を発光素子２３側から正面視した場合、第２の入射領域３１Ｂの周囲に位置しており、発光素子２３の光軸２３Ａを中心とする概ね円環状とされる。
【００３７】
出射面３３は、入射面３１からレンズ３０に入射する発光素子２３からの光がレンズ３０から出射する面とされる。本実施形態の出射面３３は、第１の出射領域３３Ａと、第２の出射領域３３Ｂと、第３の出射領域３３Ｃと、第４の出射領域３３Ｄと、を有する。図４は、図１に示す灯具ユニット２０を概略的に示す正面図である。なお、図４では、理解容易のため、回路基板２２の記載は省略され、発光素子２３は破線で示されている。図４に示すように、本実施形態の第１の出射領域３３Ａは、出射面３３を発光素子２３側と反対側から正面視した場合、発光素子２３の光軸２３Ａを中心とする概ね円形とされる。従って、図２に示すように、第１の出射領域３３Ａは、発光素子２３と頂点３４とを通る直線である発光素子２３の光軸２３Ａと交わる交点３７を有している。また、第１の出射領域３３Ａは、この光軸２３Ａと概ね垂直な平面とされる。
【００３８】
第２の出射領域３３Ｂは、第１の入射領域３１Ａからレンズ３０に入射する発光素子２３からの光Ｌ１が出射する面とされる。図２、図４に示すように、本実施形態の第２の出射領域３３Ｂは、第１の出射領域３３Ａの外縁３８の全周から、発光素子２３側に向かって発光素子２３の光軸２３Ａから離間するように延在している。つまり、図４に示すように、第２の出射領域３３Ｂは、出射面３３を発光素子２３側と反対側から正面視した場合、第１の出射領域３３Ａの周囲に位置しており、発光素子２３の光軸２３Ａを中心とする概ね円環状とされる。また、第２の出射領域３３Ｂは、第１の出射領域３３Ａ側の縁である第１の出射領域３３Ａの外縁３８と第１の出射領域３３Ａ側と反対側の縁である第２の出射領域３３Ｂの外縁３９とを結ぶ直線を基準として、この外縁３８と外縁３９との間が発光素子２３側に向かって凸状に湾曲している。また、図４に示すように、第２の出射領域３３Ｂは、発光素子２３の光軸２３Ａを中心とする周方向において、概ね等間隔で区分けされており、当該区分けされた領域において、周方向の一端と他端とを結ぶ直線を基準として、この一端と他端との間が発光素子２３側に向かって凸状に湾曲している。なお、図４には、第２の出射領域３３Ｂが８つに区分けられた形態が示されている。第２の出射領域３３Ｂは、このように湾曲していなくても良く、発光素子２３側と反対側に向かって凸状に湾曲していても良い。また、第２の出射領域３３Ｂは、発光素子２３の光軸２３Ａを中心とする周方向において、区分けされなくても良く、発光素子２３の光軸２３Ａを中心とする径方向において、複数に区分けされても良い。また、区分けされた領域は、単一の曲面や平面でなく、複数の面から形成されても良く、例えば魚眼レンズが形成されても良い。
【００３９】
第３の出射領域３３Ｃは、第２の入射領域３１Ｂからレンズ３０に入射し反射面３２で内部反射される発光素子２３からの光Ｌ２が出射する面とされる。図４に示すように、本実施形態の第３の出射領域３３Ｃは、出射面３３を発光素子２３側と反対側から正面視した場合、第２の出射領域３３Ｂの周囲に位置しており、発光素子２３の光軸２３Ａを中心とする概ね円環状とされる。また、図２に示すように、第３の出射領域３３Ｃは、発光素子２３の光軸２３Ａと平行な方向において、第２の出射領域の外縁３９よりも発光素子２３側と反対側に位置している。この第３の出射領域３３Ｃは、第２の出射領域３３Ｂ側の内縁４０と第２の出射領域３３Ｂ側と反対側の外縁４１とを結ぶ直線を基準として、この内縁４０と外縁４１との間が発光素子２３側と反対側に向かって凸状に湾曲している。また、図４に示すように、第３の出射領域３３Ｃは、発光素子２３の光軸２３Ａを中心とする周方向において、概ね等間隔で区分けされており、当該区分けされた領域において、周方向の一端と他端とを結ぶ直線を基準として、この一端と他端との間が発光素子２３側と反対側に向かって凸状に湾曲している。なお、図４には、第３の出射領域３３Ｃが、８つに区分けされた第２の出射領域３３Ｂに対応して８つに区分けられた形態が示されている。第３の出射領域３３Ｃは、このように湾曲していなくても良く、発光素子２３側に向かって凸状に湾曲していても良い。また、第３の出射領域３３Ｃは、発光素子２３の光軸２３Ａを中心とする周方向において、区分けされなくても良く、発光素子２３の光軸２３Ａを中心とする径方向において、複数に区分けされても良い。また、区分けされた領域は、単一の曲面や平面でなく、複数の面から形成されても良く、例えば魚眼レンズが形成されても良い。
【００４０】
図２、図４に示すように、本実施形態の第４の出射領域３３Ｄは、第２の出射領域３３Ｂ及び第３の出射領域３３Ｃを接続する面とされる。また、第４の出射領域３３Ｄは、図４に示すように、出射面３３を発光素子２３側と反対側から正面視した場合、第２の出射領域３３Ｂ及び第３の出射領域３３Ｃと重ならないような概ね円環状とされる。
【００４１】
次に、発光素子２３から出射する光の光路について説明する。
【００４２】
図２に示すように、発光素子２３から出射する光のうち、発散角が所定の角度以下の光Ｌ１の多くは、レンズ３０の入射面３１のうち、第１の入射領域３１Ａに入射する。第１の入射領域に入射する光Ｌ１は、第１の入射領域３１Ａで屈折し、レンズ３０内を伝搬する。本実施形態の第１の入射領域３１Ａは、上記のように、発光素子２３側と反対側の端が頂点３４となる概ね円錐状に凹んでおり、この頂点３４は、発光素子２３の光軸２３Ａ上に位置している。つまり、第１の入射領域３１Ａは、発光素子２３と頂点３４とを通る直線である発光素子２３の光軸２３Ａに対して傾く入射面３１によって円錐状に形成されている。このため、発光素子２３の光軸２３Ａを通る断面において、この光軸２３Ａを基準として、第１の入射領域３１Ａの一方の側に入射する光及び他方の側に入射する光は、互いに異なる方向へ屈折される。また、第１の入射領域３１Ａは、頂点３４と外縁３５とを結ぶ直線を基準として、頂点３４と外縁３５との間が発光素子２３側に向かって凸状に湾曲しており、第１の入射領域３１Ａに入射する光Ｌ１が第１の入射領域３１Ａで屈折して発散することが抑制されている。本実施形態では、発光素子２３の光軸２３Ａを通る断面において、光Ｌ１の多くが概ね互いに平行にレンズ３０内を伝搬するように、第１の入射領域３１Ａが湾曲されている。このようにしてレンズ３０内を伝搬する光Ｌ１は、第２の出射領域３３Ｂで屈折し、当該第２の出射領域３３Ｂから出射する。本実施形態の第２の出射領域３３Ｂは、上記のように、外縁３８と外縁３９とを結ぶ直線を基準として、外縁３８と外縁３９との間が発光素子２３側に向かって凸状に湾曲している。このため、発光素子２３の光軸２３Ａを通る断面において、第２の出射領域３３Ｂから入射する光Ｌ１の多くが第２の出射領域３３Ｂで屈折して発散される。
【００４３】
このようにして、第１の入射領域３１Ａに入射する光Ｌ１は、内部反射をせずに第２の出射領域３３Ｂから出射する。言い換えると、第１の入射領域３１Ａは、入射面３１のうち、入射する光Ｌ１が内部反射せずに出射面３３から出射する領域である。なお、入射する光Ｌ１が内部反射をせずに出射面３３から出射するとは、入射する光Ｌ１の全てが内部反射をせずに出射面３３から出射することを意味するのではない。例えば、第１の入射領域３１Ａに入射する光Ｌ１の一部がレンズ３０内でレイリー散乱したり、第１の入射領域３１Ａのひずみで拡散したりする場合がある。このような光が、入射面３１、反射面３２、出射面３３等で内部反射して出射面３３から出射しても、第１の入射領域３１Ａは、入射する光Ｌ１が内部反射せずに出射面３３から出射する領域とされる。
【００４４】
一方、発光素子２３から出射する光のうち、発散角が所定の角度以上の光Ｌ２の多くは、レンズ３０の入射面３１のうち、第２の入射領域３１Ｂに入射する。第２の入射領域３１Ｂに入射する光Ｌ２は、第２の入射領域３１Ｂで屈折し、レンズ３０内を伝搬する。第２の入射領域３１Ｂは、上記のように、外縁３５と外縁３６とを結ぶ直線を基準として、外縁３５と外縁３６との間が発光素子２３側に向かって凸状に湾曲しており、第２の入射領域３１Ｂに入射する光Ｌ２が第２の入射領域３１Ｂで屈折して発散することが抑制されている。本実施形態では、発光素子２３の光軸２３Ａを通る断面において、光Ｌ２の多くが概ね互いに平行にレンズ３０内を伝搬するように、第２の入射領域３１Ｂが湾曲されている。このようにしてレンズ３０内を伝搬する光Ｌ２は、反射面３２で内部反射し、レンズ３０内を更に伝搬して第３の出射領域３３Ｃで屈折し、当該第３の出射領域３３Ｃから出射する。第３の出射領域３３Ｃは、上記のように、内縁４０と外縁４１とを結ぶ直線を基準として、内縁４０と外縁４１との間が発光素子２３側と反対側に向かって凸状に湾曲している。このため、発光素子２３の光軸２３Ａを通る断面において、第３の出射領域３３Ｃから出射する光Ｌ２の多くが第３の出射領域３３Ｃで屈折して集光される。
【００４５】
このようにして、第２の入射領域３１Ｂに入射する光Ｌ２は、反射面３２で内部反射して第３の出射領域３３Ｃから出射する。言い換えると、第２の入射領域３１Ｂは、入射面３１のうち、入射する光Ｌ２が内部反射して出射面３３から出射する領域である。なお、入射する光Ｌ２が内部反射して出射面３３から出射するとは、入射する光Ｌ２の全てが内部反射して出射面３３から出射することを意味するのではない。例えば、第２の入射領域３１Ｂに入射する光Ｌ２の一部がレンズ３０内でレイリー散乱したり、第２の入射領域３１Ｂのひずみで拡散したりする場合がある。このような光が内部反射せずに出射面３３から出射しても、第２の入射領域３１Ｂは、入射面３１のうち、入射する光Ｌ２が内部反射して出射面３３から出射する領域とされる。
【００４６】
ところで、出射面３３のうち、第１の出射領域３３Ａ、第３の出射領域３３Ｃからは、入射面３１に入射する光のうち、当該入射面３１のひずみで拡散する光、レンズ３０内でレイリー散乱する光、これらの光が反射面３２等で内部反射する光等が出射し得る。しかし、これらの光の量が第２の出射領域３３Ｂや第３の出射領域３３Ｃから出射する光の量と比べて少なくなるように、入射面３１及び出射面３３が形成されている。
【００４７】
こうして、本実施形態のテールランプ１では、それぞれの灯具ユニット２０の発光素子２３から出射する赤色の光が、それぞれのレンズ３０の入射面３１に入射して出射面３３から出射する。この出射面３３から出射する光がフロントカバー１２を介して出射することでテールランプ１が赤色に点灯する。
【００４８】
図５は、灯具の点灯時における灯具ユニットの光の出射面の様子を概略的に示す図である。図５において、斜線で示される領域Ａ１及び領域Ａ２は、斜線で示されていない領域Ａ３及び領域Ａ４よりも光の強度が高い。領域Ａ１は、第１の入射領域３１Ａに入射する光Ｌ１に起因して発光する領域であり、概ね第２の出射領域３３Ｂにおける第１の出射領域３３Ａ側に対応している。この領域Ａ１の形状は、発光素子２３と頂点３４とを通る直線である発光素子２３の光軸２３Ａを中心とした概ね円環状とされる。領域Ａ２は、第２の入射領域３１Ｂに入射する光Ｌ２に起因して発光する領域であり、概ね第３の出射領域３３Ｃに対応している。この領域Ａ２の形状は、発光素子２３と頂点３４とを通る直線である発光素子２３の光軸２３Ａを中心とした概ね円環状とされ、この環状の領域は、領域Ａ１を囲っている。また、領域Ａ３は概ね第２の出射領域３３Ｂにおける第４の出射領域３３Ｄ側及び第４の出射領域３３Ｄに対応しており、領域Ａ１と領域Ａ２の間に位置している。領域Ａ４は概ね第１の出射領域３３Ａに対応している。従って、複数の灯具ユニット２０を有するテールランプ１の点灯時の見栄えは、このような中心が概ね同じである２つの円環状の発光領域が複数並べられたものとなる。
【００４９】
以上説明したように、本実施形態のテールランプ１は、発光素子２３、発光素子２３から出射する光が入射する入射面３１及び当該入射面３１から入射した光を出射する出射面３３を有するレンズ３０と、を備える。レンズ３０は、入射面３１のうち入射した光が内部反射せずに出射面３３から出射する第１の入射領域３１Ａを有し、この第１の入射領域３１Ａは、発光素子２３側と反対側の端が頂点３４となる概ね円錐状に凹んでいる。
【００５０】
本実施形態では、上記のように発光素子２３側と反対側の端が頂点３４となる概ね円錐状に凹んでいる。つまり、この第１の入射領域３１Ａは、発光素子２３と頂点３４とを通る直線である発光素子２３の光軸２３Ａに対して傾く入射面３１によって円錐状に形成されている。このため、図２に示すように、発光素子２３から出射し、第１の入射領域３１Ａのうち頂点３４及びその近傍の領域に入射する光ＬＡは、第１の入射領域３１Ａにおける発光素子２３の光軸２３Ａに対して傾く入射面３１で屈折し、発光素子２３の光軸２３Ａを基準として放射状に分散され得る。このため、例えば発光素子２３から出射する光のうち、強度の高い光を第１の入射領域３１Ａにおける頂点３４及びその近傍に入射させることで当該強度の高い光を分散させることができる。従って、レンズ３０の出射面３３の一部が点光りすることを抑制し、当該出射面３３をより均一に発光させることができ、意匠性に優れるテールランプ１とし得る。
【００５１】
なお、出射面３３の一部が点光りすることを抑制する観点において、円錐状に凹む第１の入射領域３１Ａを形成する入射面３１は、発光素子２３と頂点３４とを通る直線である発光素子２３の光軸２３Ａを基準とした回転面とされることが好ましい。このように構成することで、第１の入射領域３１Ａのうち頂点３４及びその近傍の領域に入射する光ＬＡを、発光素子２３の光軸２３Ａを基準として概ね均等に放射状に分散させることができる。従って、出射面３３の一部が点光りすることをより抑制することできる。
【００５２】
本実施形態では、頂点３４は、発光素子２３の光軸２３Ａ上に位置している。一般的に、発光ダイオードやレーザダイオード等の発光素子から出射する光のうち、当該発光素子の光軸近傍の光は、この発光素子から出射する他の光よりも光の強度が高い傾向にある。このため、頂点３４を発光素子２３の光軸２３Ａ上に位置させることで、発光素子２３から出射する光のうち、当該発光素子２３の光軸２３Ａ近傍の光を第１の入射領域３１Ａにおける頂点３４及びその近傍に入射させることができ、強度の高い光を分散させることができる。従って、レンズ３０の出射面３３の一部が点光りすることを抑制し、当該出射面をより均一に発光させることができ、意匠性に優れるテールランプ１とし得る。
【００５３】
本実施形態では、第１の入射領域３１Ａは、頂点３４と外縁３５とを結ぶ直線を基準として、頂点３４と外縁３５との間が発光素子２３側に向かって凸状に湾曲している。このため、発光素子２３から出射して第１の入射領域３１Ａに入射する光Ｌ２が第１の入射領域３１Ａで屈折して発散することを抑制することができ、例えば第１の入射領域３１Ａに入射する光Ｌ１の多くが概ね互いに平行にレンズ３０内を伝搬するようにし得る。このため、第１の入射領域３１Ａがこのように湾曲しない場合と比べて、出射面３３から出射する光の制御が容易となり、レンズ３０の光学設計が複雑になることを抑制できる。
【００５４】
本実施形態では、入射した光が内部反射して出射面３３から出射する第２の入射領域３１Ｂを更に有する。この第２の入射領域３１Ｂは、入射面３１を発光素子２３側から正面視した場合に第１の入射領域３１Ａの周囲に位置している。また、第２の入射領域３１Ｂは、発光素子２３と頂点３４とを通る直線である発光素子２３の光軸２３Ａと平行な方向において第１の入射領域３１Ａよりも発光素子２３側に位置する。このため、発光素子２３から出射する光のうち、当該発光素子２３の光軸２３Ａから離れるように出射する光、つまり拡散する光を第２の入射領域３１Ｂからレンズ３０に入射させ得る。このため、第２の入射領域３１Ｂを有さない場合と比べて、発光素子２３から出射する光を効率良くレンズ３０から出射し得る。また、第２の入射領域３１Ｂは、入射した光Ｌ２を内部反射して出射面３３から出射するため、第２の入射領域３１Ｂに入射する光Ｌ２をレンズ３０から所望の方向へ出射し得る。このため、テールランプ１の見栄えの自由度を向上することができ、意匠性に優れる灯具とし得る。
【００５５】
本実施形態では、出射面３３のうち、発光素子２３と頂点３４とを通る直線である発光素子２３の光軸２３Ａとの交点３７を含む第１の出射領域３３Ａが平面とされている。上記のように、第１の入射領域３１Ａにおける頂点３４及びその近傍に入射する光ＬＡは、発光素子２３の光軸２３Ａを基準として放射状に分散され得る。このため、発光素子２３から出射して第１の入射領域３１Ａに入射する光Ｌ１が、出射面３３のうち、第１の出射領域３３Ａであって、発光素子２３の光軸２３Ａとの交点３７近傍の領域から出射することを抑制できる。そして、第１の出射領域３３Ａが平面とされても当該第１の出射領域３３Ａの一部が点光りすることを抑制することができる。従って、出射面３３をより均一に発光させることができるとともに、テールランプ１の見栄えの自由度を向上することができ、意匠性に優れるテールランプ１とし得る。
【００５６】
なお、出射面３３のうち、発光素子２３と頂点３４とを通る直線である発光素子２３の光軸２３Ａとの交点３７を含む第１の出射領域３３Ａは、発光素子２３側に向かって凹状または凸状に湾曲されても良い。このように構成しても、第１の出射領域３３Ａの一部が点光りすることを抑制することができ、出射面３３をより均一に発光させることができるとともに、テールランプ１の見栄えの自由度を向上することができ、意匠性に優れるテールランプ１とし得る。
【００５７】
（第２実施形態）
次に、本発明の第２実施形態について図６〜図９を参照して詳細に説明する。なお、本実施形態の灯具における構成要素のうち第１実施形態と同一又は同等の構成要素については、特に説明する場合を除き、同一の参照符号を付して重複する説明は省略する。
【００５８】
図６は本発明の第２実施形態に係る灯具の灯具ユニットを概略的に示す背面図であり、図７は図６に示す灯具ユニットを概略的に示す正面図であり、図８は入射面を概略的に示す断面図である。具体的には、図８（Ａ）は第１の入射領域３１Ａの光軸２３Ａと垂直な断面を示す図であり、図８（Ａ）は第２の入射領域３１Ｂの光軸２３Ａと垂直な断面を示す図である。なお、図６、図７では、理解容易のため、回路基板２２の記載は省略され、発光素子２３は破線で示されている。
【００５９】
図６、図８に示すように、本実施形態のテールランプ１における灯具ユニット２０は、第１の入射領域３１Ａが発光素子２３側と反対側の端が頂点３４となる概ね角錐状に凹んでいる点において、第１実施形態の灯具ユニット２０と異なる。また、本実施形態の灯具ユニット２０は、入射面３１を発光素子２３側から正面視した場合における第２の入射領域３１Ｂ及び反射面３２の形状が多角形の環状とされる点において、第１実施形態の灯具ユニット２０と異なる。また、図７に示すように、本実施形態の灯具ユニット２０は、出射面３３を発光素子２３側と反対側から正面視した場合における第１の出射領域３３Ａが概ね多角形とされる点において、第１実施形態の灯具ユニット２０と異なる。また、本実施形態の灯具ユニット２０は、出射面３３を発光素子２３側と反対側から正面視した場合における第２の出射領域３３Ｂ、第３の出射領域３３Ｃ、及び第４の出射領域３３Ｄが円環状とされない点において、第１実施形態の灯具ユニット２０と異なる。なお、本実施形態の灯具ユニット２０の発光素子２３の光軸２３Ａを通る断面であって、図６のＸ−Ｘ断面は、図２と同様とされるため、その記載を省略する。また、上記の多角形は、多角形の角が丸められた形状や多角形の辺が湾曲した形状を含む。
【００６０】
図６に示すように、本実施形態の第１の入射領域３１Ａは、入射面３１を発光素子２３側から正面視した場合、発光素子２３の光軸２３Ａを中心とする概ね四角形とされる。また、第１の入射領域３１Ａは、発光素子２３側と反対側の端が頂点３４となる概ね八角錐状に凹んでおり、この頂点３４は、発光素子２３の光軸２３Ａ上に位置している。つまり、第１の入射領域３１Ａは、環状に連なる８つの面から形成され、これら８つの面はそれぞれ頂点３４を通る。そして、図８（Ａ）に示すように、発光素子２３と頂点３４とを通る直線である発光素子２３の光軸２３Ａと垂直な断面における第１の入射領域３１Ａの形状は、概ね八角形とされる。第１の入射領域３１Ａを形成するこれら８つの面は、それぞれ頂点３４と外縁３５とを結ぶ直線を基準として、頂点３４と外縁３５との間が発光素子２３側に向かって凸状に湾曲している。また、これら８つの面は、図８（Ａ）に示すように、それぞれ発光素子２３の光軸２３Ａと垂直な断面において光軸２３Ａ側に向かって凸状に湾曲している。なお、これら８つの面は、このように湾曲していなくても良い。
【００６１】
図６に示すように、本実施形態の第２の入射領域３１Ｂは、入射面３１を発光素子２３側から正面視した場合、第１の入射領域３１Ａの周囲に位置しており、発光素子２３の光軸２３Ａを中心とする概ね四角環状とされる。この第２の入射領域３１Ｂは、環状に連なる４つの面から形成される。そして、図８（Ｂ）に示すように、発光素子２３の光軸２３Ａと垂直な断面における第２の入射領域３１Ｂの形状は、概ね四角形とされる。第２の入射領域３１Ｂを形成するこれら４つの面は、それぞれ第１の出射領域３３Ａ側の縁である内縁４２と第１の出射領域３３Ａ側と反対側の縁である第２の出射領域３３Ｂの外縁３６とを結ぶ直線を基準として、この内縁４２と外縁３６との間が発光素子２３側に向かって凸状に湾曲している。また、これら４つの面は、図８（Ｂ）に示すように、それぞれ発光素子２３の光軸２３Ａと垂直な断面において光軸２３Ａ側に向かって凸状に湾曲している。なお、これら４つの面は、このように湾曲していなくても良い。
【００６２】
図６に示すように、本実施形態の反射面３２は、入射面３１を発光素子２３側から正面視した場合、第２の入射領域３１Ｂの周囲に位置しており、発光素子２３の光軸２３Ａを中心とする概ね四角環状とされる。この反射面３２は、第２の入射領域３１Ｂと同様にして、環状に連なる４つの面から形成される。反射面３２を形成するこれら４つの面は、それぞれ第２の入射領域３１Ｂを形成する４つの面に対応している。
【００６３】
図６に示すように、本実施形態では、入射面３１は、接続領域５０を更に有する。この接続領域５０は、第１の入射領域３１Ａ及び第２の入射領域３１Ｂを接続する面とされ、入射面３１を発光素子２３側から正面視した場合、第１の入射領域３１Ａ及び第２の入射領域３１Ｂと重ならないような面とされている。
【００６４】
図７に示すように、本実施形態の第１の出射領域３３Ａは、出射面３３を発光素子２３側と反対側から正面視した場合、発光素子２３の光軸２３Ａを中心とする概ね八角形とされ、発光素子２３の光軸２３Ａと交わる交点３７を有している。この第１の出射領域３３Ａは、光軸２３Ａと概ね垂直な平面とされる。
【００６５】
図７に示すように、本実施形態の第２の出射領域３３Ｂは、出射面３３を発光素子２３側と反対側から正面視した場合、第１の出射領域３３Ａの周囲に８つ設けられており、これらは、発光素子２３の光軸２３Ａを中心とする周方向に概ね等間隔で配置されている。これら８つの第２の出射領域３３Ｂは、それぞれ第１の入射領域３１Ａを形成する８つの面に対応している。この８つの第２の出射領域３３Ｂは、それぞれ発光素子２３の光軸２３Ａと平行な方向において発光素子２３側に向かって凸状に湾曲するとともに、発光素子２３の光軸２３Ａと垂直な断面において光軸２３Ａ側に向かって凸状に湾曲している。なお、これら８つの第２の出射領域３３Ｂは、このように湾曲していなくても良い。
【００６６】
図７に示すように、本実施形態では、出射面３３は、８つの接続領域５１を更に有する。８つの接続領域５１は、それぞれ第１の出射領域３３Ａの外縁３８のうち八角形の辺に対応する部位から延在し、それぞれ発光素子２３の光軸２３Ａを中心とする周方向において隣接する２つの第２の出射領域３３Ｂの間に位置する。そして、隣接する２つの第２の出射領域３３Ｂは、この接続領域５１によって接続されている。
【００６７】
図７に示すように、本実施形態の第３の出射領域３３Ｃは、出射面３３を発光素子２３側と反対側から正面視した場合、第２の出射領域３３Ｂの周囲に位置しており、発光素子２３の光軸２３Ａを中心とする概ね四角環状とされ、環状に連なる４つの面から形成される。これら４つの面は、それぞれ反射面３２を形成する４つの面に対応している。また、これら４つの面は、それぞれ発光素子２３の光軸２３Ａと平行な方向において発光素子２３側と反対側に向かって凸状に湾曲するとともに、発光素子２３の光軸２３Ａと垂直な断面において光軸２３Ａ側に向かって凸状に湾曲している。なお、これら４つの面は、このように湾曲していなくても良い。
【００６８】
図７に示すように、本実施形態の第４の出射領域３３Ｄは、出射面３３を発光素子２３側と反対側から正面視した場合における第２の出射領域３３Ｂの外縁３９、第３の出射領域３３Ｃの第２の出射領域３３Ｂ側の内縁４０、及び接続領域５１に接続される。第２の出射領域３３Ｂと第３の出射領域３３Ｃ、及び第３の出射領域３３Ｃと接続領域５１は、それぞれこの第４の出射領域３３Ｄによって接続されている。
【００６９】
このような本実施形態の灯具ユニット２０では、上記第１実施形態の灯具ユニット２０と同様にして、発光素子２３から出射する光のうち、発散角が所定の角度以下の光Ｌ１の多くは、レンズ３０の入射面３１のうち、第１の入射領域３１Ａに入射する。第１の入射領域３１Ａは、上記のように、発光素子２３側と反対側の端が頂点３４となる概ね八角錐状に凹んでおり、この頂点３４は、発光素子２３の光軸２３Ａ上に位置している。このため、第１の入射領域３１Ａを形成する８つの面のそれぞれに入射する光は、それぞれの面において互いに異なる方向へ屈折される。また、これら８つの面は、上記のように、それぞれ頂点３４と外縁３５とを結ぶ直線を基準として、頂点３４と外縁３５との間が発光素子２３側に向かって凸状に湾曲するとともに、発光素子２３の光軸２３Ａと垂直な断面において光軸２３Ａ側に向かって凸状に湾曲している。このため、それぞれの面に入射する光Ｌ１がそれぞれの面で屈折して発散することが抑制されている。本実施形態では、それぞれの面に入射する光Ｌ１の多くが概ね互いに平行にレンズ３０内を伝搬するように、これら８つの面が湾曲されている。
【００７０】
このようにして、第１の入射領域３１Ａを形成する８つの面のそれぞれに入射する光Ｌ１は、それぞれの面が対応する第２の出射領域３３Ｂへ向かってレンズ３０内を伝搬し、これら第２の出射領域３３Ｂからそれぞれ出射する。この８つの第２の出射領域３３Ｂは、上記のように、それぞれ発光素子２３の光軸２３Ａと平行な方向において発光素子２３側に向かって凸状に湾曲するとともに、発光素子２３の光軸２３Ａと垂直な断面において光軸２３Ａ側に向かって凸状に湾曲している。このため、発光素子２３の光軸２３Ａを通る断面において、それぞれの第２の出射領域３３Ｂから入射する光Ｌ１の多くが第２の出射領域３３Ｂで屈折して発散される。このようにして、第１の入射領域３１Ａに入射する光Ｌ１は、内部反射をせずに第２の出射領域３３Ｂから出射し、第１の入射領域３１Ａは、入射面３１のうち、入射する光Ｌ１が内部反射せずに出射面３３から出射する領域とされている。
【００７１】
一方、発光素子２３から出射する光のうち、発散角が所定の角度以上の光Ｌ２の多くは、上記第１実施形態の灯具ユニット２０と同様にして、レンズ３０の入射面３１のうち、第２の入射領域に入射する。第２の入射領域３１Ｂは、上記のように、環状に連なる４つの面から形成されるため、第２の入射領域３１Ｂを形成する４つの面のそれぞれに入射する光は、それぞれの面において互いに異なる方向へ屈折される。また、これら４つの面は、それぞれ内縁４２と外縁３６とを結ぶ直線を基準として、この内縁４２と外縁３６との間が発光素子２３側に向かって凸状に湾曲するとともに、発光素子２３の光軸２３Ａと垂直な断面において光軸２３Ａ側に向かって凸状に湾曲している。このため、それぞれの面に入射する光Ｌ２がそれぞれの面で屈折して発散することが抑制されている。本実施形態では、それぞれの面に入射する光Ｌ２の多くが概ね互いに平行にレンズ３０内を伝搬するように、これら４つの面が湾曲されている。
【００７２】
このようにして、第２の入射領域３１Ｂを形成する４つの面のそれぞれに入射する光Ｌ２は、それぞれの面が対応する反射面３２を形成する４つの面へ向かってレンズ３０内を伝搬し、反射面３２を形成する４つの面でそれぞれ内部反射する。反射面３２を形成する４つの面でそれぞれ内部反射する光Ｌ２は、レンズ３０内を更に伝搬し、こられ４つの面が対応する第３の出射領域３３Ｃを形成する４つの面から出射する。この第３の出射領域３３Ｃを形成する４つの面は、上記のように、それぞれ発光素子２３の光軸２３Ａと平行な方向において発光素子２３側と反対側に向かって凸状に湾曲するとともに、発光素子２３の光軸２３Ａと垂直な断面において光軸２３Ａ側に向かって凸状に湾曲している。このため、本実施形態では、発光素子２３の光軸２３Ａを通る断面において、第３の出射領域３３Ｃを形成する４つの面のそれぞれから出射する光Ｌ２の多くがそれぞれの面で屈折して集光される。このようにして、第２の入射領域３１Ｂに入射する光Ｌ２は、反射面３２で内部反射して第３の出射領域３３Ｃから出射し、第２の入射領域３１Ｂは、入射面３１のうち、入射する光Ｌ２が内部反射して出射面３３から出射する領域とされている。
【００７３】
こうして、テールランプ１におけるそれぞれの灯具ユニット２０の発光素子２３から出射する赤色の光が、それぞれのレンズ３０の入射面３１に入射して出射面３３から出射する。この出射面３３から出射する光がフロントカバー１２を介して出射することでテールランプ１が赤色に点灯する。
【００７４】
図９は、灯具の点灯時における灯具ユニットの光の出射面の様子を概略的に示す図である。図９において、斜線で示される領域Ａ１及びＡ２は、斜線で示されていない領域Ａ３よりも光の強度が高い。領域Ａ１は、第１の入射領域３１Ａに入射する光Ｌ１に起因して発光する領域であり、８つの第２の出射領域３３Ｂにおける第１の出射領域３３Ａ側に対応しており、発光素子２３の光軸２３Ａを中心として周方向に間隔をあけて点在している。領域Ａ２は、第２の入射領域３１Ｂに入射する光Ｌ２に起因して発光する領域であり、概ね第３の出射領域３３Ｃに対応している。この領域Ａ２の形状は、発光素子２３の光軸２３Ａを中心とした概ね四角である環状とされ、この環状の領域は、８つの領域Ａ１を囲っている。また、領域Ａ３は、概ね第１の出射領域３３Ａ、第２の出射領域３３Ｂにおける第４の出射領域３３Ｄ側、８つの接続領域５１、及び第４の出射領域３３Ｄに対応している。従って、複数の灯具ユニット２０を有するテールランプ１の点灯時の見栄えは、このような四角環状の発光領域とこの発光領域の内側に点在する別の発光領域とが複数並べられたものとなる。
【００７５】
このように、本実施形態では、第１の入射領域３１Ａは、環状に連なる８つの面から形成され、これら８つの面はそれぞれ頂点３４を通る。また、発光素子２３と頂点３４とを通る直線である発光素子２３の光軸２３Ａと垂直な断面における第１の入射領域３１Ａの形状は概ね八角形とされる。このため、第１の入射領域３１Ａは、八角錐状の凹みとなる。このため、発光素子２３から出射し、第１の入射領域３１Ａのうち頂点３４及びその近傍の領域に入射する光ＬＡは、第１の入射領域３１Ａを形成する８つの面で屈折し、発光素子２３の光軸２３Ａを基準として放射状に分散され得る。このため、上記第１実施形態のテールランプ１と同様にして、例えば発光素子２３から出射する光のうち、強度の高い光を第１の入射領域３１Ａにおける頂点３４及びその近傍に入射させることで当該強度の高い光を分散さることができる。従って、レンズ３０の出射面３３の一部が点光りすることを抑制し、当該出射面３３をより均一に発光させることができ、意匠性に優れるテールランプ１とし得る。
【００７６】
また、出射面３３のうち、第１の入射領域３１Ａに入射する光Ｌ１に起因して発光する領域を、例えば発光素子２３と頂点３４とを通る直線である発光素子２３の光軸２３Ａを中心として周方向に間隔をあけて点在させ得る。このため、点灯時のテールランプ１の見栄えの自由度を向上することができ、意匠性に優れる灯具とし得る。
【００７７】
本実施形態では、頂点３４は、発光素子２３の光軸２３Ａ上に位置している。このため、上記第１実施形態のテールランプ１と同様にして、発光素子２３から出射する光のうち、一般的に強度の高い当該発光素子２３の光軸２３Ａ近傍の光を分散させることができる。従って、レンズ３０の出射面３３の一部が点光りすることを抑制し、当該出射面をより均一に発光させることができ、意匠性に優れるテールランプ１とし得る。
【００７８】
本実施形態では、第１の入射領域３１Ａは、頂点３４と外縁３５とを結ぶ直線を基準として、この頂点３４と外縁３５との間が発光素子２３側に向かって凸状に湾曲している。このため、発光素子２３から出射して第１の入射領域３１Ａに入射する光Ｌ２が第１の入射領域３１Ａで屈折して発散することを抑制することができ、例えば第１の入射領域３１Ａに入射する光Ｌ１の多くが概ね互いに平行となるようにレンズ３０内を伝搬するようにし得る。このため、第１の入射領域３１Ａがこのように湾曲しない場合と比べて、出射面３３から出射する光の制御が容易となり、レンズ３０の光学設計が複雑になることを抑制できる。
【００７９】
本実施形態では、上記第１実施形態のテールランプ１と同様にして、入射した光が内部反射して出射面３３から出射する第２の入射領域３１Ｂを更に有する。この第２の入射領域３１Ｂは、入射面３１を発光素子２３側から正面視した場合に第１の入射領域３１Ａの周囲に位置している。また、第２の入射領域３１Ｂは、発光素子２３と頂点３４とを通る直線である発光素子２３の光軸２３Ａと平行な方向において第１の入射領域３１Ａよりも発光素子２３側に位置する。このため、発光素子２３から出射する光のうち、当該発光素子２３の光軸２３Ａから離れるように出射する光、つまり拡散する光を第２の入射領域３１Ｂからレンズ３０に入射させ得る。このため、第２の入射領域３１Ｂを有さない場合と比べて、発光素子２３から出射する光を効率良くレンズ３０から出射し得る。また、第２の入射領域３１Ｂは、入射した光Ｌ２を内部反射して出射面３３から出射するため、第２の入射領域３１Ｂに入射する光Ｌ２をレンズ３０から所望の方向へ出射し得る。このため、テールランプ１の見栄えの自由度を向上することができ、意匠性に優れる灯具とし得る。
【００８０】
本実施形態では、この第２の入射領域３１Ｂは、環状に連なる４つの面から形成され、発光素子２３と頂点３４とを通る直線である発光素子２３の光軸２３Ａと垂直な断面における第２の入射領域３１Ｂの形状が四角形とされている。このため、出射面３３のうち、第２の入射領域３１Ｂに入射する光Ｌ２に起因して発光する領域を、例えば四角形の環状にし得る。このため、灯具の見栄えの自由度を向上することができ、意匠性に優れる灯具とし得る。なお、光Ｌ２の反射面３２による内部反射の方向を調節することで、この発光する領域を、光軸２３Ａを中心として周方向に間隔をあけて点在させること等もし得る。
【００８１】
本実施形態では、上記第１実施形態のテールランプ１と同様にして、出射面３３のうち、発光素子２３と頂点３４とを通る直線である発光素子２３の光軸２３Ａとの交点３７を含む第１の出射領域３３Ａが平面とされている。上記のように、第１の入射領域３１Ａにおける頂点３４及びその近傍に入射する光ＬＡは、発光素子２３の光軸２３Ａを基準として放射状に分散され得る。このため、発光素子２３から出射して第１の入射領域３１Ａに入射する光Ｌ１が、出射面３３のうち、第１の出射領域３３Ａであって、発光素子２３の光軸２３Ａとの交点３７近傍の領域から出射することを抑制できる。そして、第１の出射領域３３Ａが平面とされても当該第１の出射領域３３Ａの一部が点光りすることを抑制することができる。従って、出射面３３をより均一に発光させることができるとともに、テールランプ１の見栄えの自由度を向上することができ、意匠性に優れるテールランプ１とし得る。なお、この第１の出射領域３３Ａは、発光素子２３側に向かって凹状に湾曲されても良い。このように構成しても、第１の出射領域３３Ａの一部が点光りすることを抑制することができ、出射面３３をより均一に発光させることができるとともに、テールランプ１の見栄えの自由度を向上することができ、意匠性に優れるテールランプ１とし得る。
【００８２】
以上、本発明について、実施形態を例に説明したが、本発明はこれらに限定されるものではない。
【００８３】
例えば、上記第２実施形態では、八角錐状に凹み、発光素子２３と頂点３４とを通る直線である発光素子２３の光軸２３Ａと垂直な断面における形状が概ね八角形とされる第１の入射領域３１Ａを例に説明した。しかし、この断面の形状は多角形であれば特に限定されるものではなく、例えば五角形等とされても良い。つまり、第１の入射領域３１Ａは、五角錐状に凹んでいても良い。なお、第１の入射領域３１Ａが五角錐状に凹む場合、第１の入射領域３１Ａを形成する５つの面にそれぞれ対応する５つの第２の出射領域３３Ｂを設けることが好ましい。また、出射面の一部が点光りすることを抑制する観点において、角錐状に凹む第１の入射領域は、発光素子２３と頂点３４とを通る直線である発光素子２３の光軸２３Ａを基準とした回転対称とされることが好ましい。つまり、光軸２３Ａと垂直な断面における第１の入射領域３１Ａの形状が光軸２３Ａを基準とした回転対称とされることが好ましい。このように構成することで、第１の入射領域３１Ａのうち頂点３４及びその近傍の領域に入射する光ＬＡを、発光素子２３の光軸２３Ａを基準として概ね均等に放射状に分散させることができる。従って、出射面３３の一部が点光りすることをより抑制することができる。
【００８４】
また、上記第２実施形態では、入射面３１を発光素子２３側から正面視した場合における形状が概ね四角形の第１の入射領域３１Ａを例に説明したが、この形状は、特に限定されるものではなく、例えば円形とされても良い。
【００８５】
また、上記実施形態では、発光素子２３側と反対側の端が頂点３４となる概ね円錐または角錐状に凹む第１の入射領域３１Ａを例に説明した。しかし、第１の入射領域３１Ａは、発光素子２３側と反対側の端が頂点３４となる概ね錐状に凹む凹部を有していれば良く、第１の入射領域３１Ａは、全体が錐状に凹む形態でなくても良い。
【００８６】
また、上記第２実施形態では、発光素子２３と頂点３４とを通る直線である発光素子２３の光軸２３Ａと垂直な断面における形状が概ね四角形とされる第２の入射領域３１Ｂを例に説明した。しかし、この断面の形状は特に限定されるものではなく、例えば五角形等とされても良い。
【００８７】
また、上記第２実施形態において、第１の入射領域３１Ａは、上記第１実施形態と同様にして、円錐状に凹んでいても良い。なお、第１の入射領域３１Ａが円錐状に凹む場合、第２の出射領域３３Ｂは上記第１実施形態と同様の構成とされることが好ましい。また、上記第２実施形態において、第２の入射領域３１Ｂは、上記第１実施形態と同様の構成にしても良い。つまり、第２の入射領域３１Ｂは、発光素子２３と頂点３４とを通る直線である発光素子２３の光軸２３Ａと垂直な断面における形状が概ね円形となるように構成されても良い。なお、第２の入射領域３１Ｂがこのように構成される場合、第３の出射領域３３Ｃは上記第１実施形態と同様の構成とされることが好ましい。
【００８８】
また、上記実施形態では、入射した光が１回内部反射して出射面３３から出射する第２の入射領域３１Ｂを例に説明した。しかし、第２の入射領域３１Ｂは、入射した光を少なくとも１回内部反射して出射面３３から出射すれば良く、複数回内部反射して出射面３３から出射しても良い。また、レンズ３０は、この第２の入射領域３１Ｂを有していなくても良い。
【００８９】
また、上記実施形態では、頂点３４は発光素子２３の光軸２３Ａ上に位置していたが、光軸２３Ａ上に位置していなくても良い。しかし、上記のようにレンズ３０の出射面３３の一部が点光りすることをより抑制する観点から、頂点３４は発光素子２３の光軸２３Ａ上に位置することが好ましい。
【００９０】
また、上記実施形態では、発光素子２３と第１の入射領域の頂点３４とを通る直線である発光素子２３の光軸２３Ａと平行な方向において、第１の入射領域３１Ａよりも発光素子２３側に位置している第２の入射領域３１Ｂを例に説明した。しかし、第２の入射領域３１Ｂは、発光素子２３と第１の入射領域３１Ａの頂点３４とを通る直線である発光素子２３の光軸２３Ａと平行な方向において、少なくとも一部が第１の入射領域３１Ａよりも発光素子２３側に位置していれば良い。
【００９１】
また、上記実施形態では、複数の灯具ユニット２０におけるレンズ３０は、それぞれ別体とされていた。しかし、これらレンズ３０は、互いに一体とされて形成されても良い。また、上記実施形態では、複数の灯具ユニット２０における回路基板２２は、それぞれ別体とされていた。しかし、これら回路基板２２は、互いに一体とされて形成されても良い。
【００９２】
また、上記実施形態では、テールランプ１は、概ね同じ構成の複数の灯具ユニット２０を備えていた。しかし、テールランプ１は、異なる構成の灯具ユニット２０を備えていても良く、例えば上記第１実施形態の灯具ユニット２０と上記第２実施形態の灯具ユニット２０とを備えていても良い。
【００９３】
また、上記実施形態では、赤色の光を出射する発光素子２３を例に説明した。しかし、発光素子２３が出射する光の色は特に限定されるものではなく、例えば発光素子２３は白色の光を出射しても良い。このような場合、例えばフロントカバー１２は透光性を有するとともに赤色に着色される。
【００９４】
また、上記実施形態では、車両のテールランプ１を例に説明したが、灯具は車両の他のランプ、例えばブレーキランプ等とされても良い。また、灯具は、建物等に用いられる灯具とされも良い。このような場合であっても、上記のように見栄えの変更の自由度を向上することができ、意匠性に優れる灯具とし得る。
【産業上の利用可能性】
【００９５】
本発明によれば、出射面の一部が点光りすることを抑制でき、意匠性に優れる灯具が提供され、照明等の分野において利用可能である。
【符号の説明】
【００９６】
１・・・テールランプ（灯具）
１０・・・筐体
２０・・・灯具ユニット
２３・・・発光素子
２３Ａ・・・光軸
３０・・・レンズ
３１・・・入射面
３１Ａ・・・第１の入射領域
３１Ｂ・・・第２の入射領域
３２・・・反射面
３３・・・出射面
３３Ａ・・・第１の出射領域
３３Ｂ・・・第２の出射領域
３３Ｃ・・・第３の出射領域
３３Ｄ・・・第４の出射領域
３４・・・頂点
３５・・・第１の入射領域の外縁
３６・・・第２の入射領域の外縁
３７・・・交点
３８・・・第１の出射領域の外縁
３９・・・第２の出射領域の外縁
４０・・・第３の出射領域の内縁
４１・・・第３の出射領域の外縁
４２・・・第２の入射領域の内縁
【図１】
2019125532.tif 000003
【図２】
2019125532.tif 000004
【図３】
2019125532.tif 000005
【図４】
2019125532.tif 000006
【図５】
2019125532.tif 000007
【図６】
2019125532.tif 000008
【図７】
2019125532.tif 000009
【図８】
2019125532.tif 000010
【図９】
2019125532.tif 000011